(57)【特許請求の範囲】
【請求項１】
見出紙を収容する本体と、
前記本体の上に重ね合わせられて前記見出紙を覆うとともに、基端部が前記本体に固定され、先端部が前記本体から持ち上がるようにして先端部が開放可能に取り付けられた透明なカバーシートと、
前記カバーシートの先端部を前記本体の上に重ね合わされた状態にロックする蓋部と、を備え、
前記見出紙及びカバーシートは、前記本体の両側部に設けられた一対のガイド壁の間に収容されることを特徴とする見出ホルダー。
【請求項２】
前記蓋部は、スライド機構又はヒンジ部を介して前記本体とつながっていることを特徴とする請求項１に記載の見出ホルダー。
【請求項３】
前記本体のガイド壁の下側に設けられた切欠開口と、
前記カバーシートの前記切欠開口に対応する部分において前記カバーシートから側方に延び出た爪片と、を有し、
前記爪片が前記切欠開口に係合することで前記蓋部とともに前記カバーシートの保持力を発揮することを特徴とする請求項１又は請求項２に記載の見出ホルダー。
【発明の詳細な説明】
【技術分野】
【０００１】
本発明は、ファイルや引出しなどの見出しを収容する見出ホルダーに関する。
【背景技術】
【０００２】
従来より、ファイルに収容された書類の内容を示すべく、ファイルの背表紙に見出しを収容する見出ホルダーが取り付けられている。
【０００３】
このような従来の見出ホルダーは、枠状の本体に見出紙を収め、さらにその見出紙の上から透明の樹脂製のシート体を枠状の本体に差し込んで保持するものが多い。
【先行技術文献】
【特許文献】
【０００４】
【特許文献１】実開平５−７４８８１号公報
【特許文献２】実開平３−１０６０８４号公報
【発明の概要】
【発明が解決しようとする課題】
【０００５】
しかし、従来の見出ホルダーは、使用中に衝撃等が加わった場合や、手などが樹脂製のシート体に触れた際に、枠体からシート体が簡単に外れてしまい、見出紙が脱落しやすいといった問題がある。
【０００６】
そこで、本発明は、見出紙の脱落しにくい見出ホルダーを提供することを目的とする。
【課題を解決するための手段】
【０００７】
下記の開示の一観点によれば、見出紙を収容する本体と、前記本体の上に重ね合わせられて前記見出紙を覆うとともに、基端部が前記本体に固定され、先端部が前記本体から持ち上がるようにして先端部が開放可能に取り付けられた透明なカバーシートと、前記カバーシートの先端部を前記本体の上に重ね合わされた状態にロックする蓋部と、を備え、前記見出紙及びカバーシートは、前記本体の両側部に設けられた一対のガイド壁の間に収容される見出ホルダーが提供される。
【発明の効果】
【０００８】
上記観点の見出ホルダーによれば、カバーシートの基端部が本体に固定されているため、カバーシートの脱落を防いで、見出紙の紛失を防止できる。また、カバーシートの先端部を可動蓋部で開放可能にロックする構造となっているため、見出紙の交換を容易に行える。
【図面の簡単な説明】
【０００９】
【図１】図１（ａ）及び図１（ｂ）は、予備的事項に係る見出ホルダーを示す図である。
【図２】図２（ａ）及び図２（ｂ）は、第１実施形態に係る見出ホルダーの斜視図である。
【図３】図３（ａ）は図２（ａ）のＩ−Ｉ線に沿った断面図であり、図３（ｂ）は図２（ａ）の見出ホルダーのカバーシートの平面図であり、図３（ｃ）は、図２（ａ）の破線ＩＩ部分を拡大して示す側面図である。
【図４】図４（ａ）及び図４（ｂ）は、図２（ａ）の見出ホルダーの組み立て方法を示す斜視図である。
【図５】図５は、第１実施形態の変形例１に係る見出ホルダーの斜視図である。
【図６】図６（ａ）は、第１実施形態の変形例２に係る見出ホルダーの樹脂成型体の斜視図であり、図６（ｂ）は図６（ａ）の見出ホルダーの切欠部付近を拡大した斜視図である。
【図７】図７（ａ）及び図７（ｂ）は、第１実施形態の変形例３に係る見出ホルダーの蓋部を拡大して示す斜視図である。
【図８】図８（ａ）は、第１実施形態に係る見出ホルダーをファイルに取り付けた例を示す斜視図であり、図８（ｂ）は第１実施形態に係る見出ホルダーをファイルボックスに取り付けた例を示す斜視図である。
【図９】図９は、第１実施形態に係る見出ホルダーを書類トレイに取り付けた例を示す図である。
【図１０】図１０（ａ）、（ｂ）は、第２実施形態に係る見出しホルダーを示す斜視図である。
【発明を実施するための形態】
【００１０】
実施形態の説明に先立って、基礎となる予備的事項について説明する。
【００１１】
図１（ａ）は、予備的事項に係る見出ホルダーの斜視図であり、図１（ｂ）はその見出ホルダーの問題点を示す断面図である。
【００１２】
図１（ａ）に示すように、予備的事項に係る見出ホルダー８０は、その本体８１の上面に見出紙８５を収容するための矩形状の凹部８４が形成されている。
【００１３】
その凹部８４の長辺方向の両端には、凹部８４の両端付近の上方を覆う張出部８３が形成されている。この張出部８３で覆われた部分に、見出紙８５及び窓板８２を差し込んで、見出紙８５を見出ホルダー８０に装着する。
【００１４】
窓板８２は、透明な樹脂板よりなり、凹部８４と張出部８３との隙間の厚さと同程度の厚さに形成されている。
【００１５】
この窓板８２を見出紙８５と共に、凹部８４と張出部８３との隙間に装着すると、窓板８２の両端が張出部８３によって押圧される。これにより、窓板８２の脱落が防止され、窓板８２の下に配置された見出紙８５が見出ホルダー８０に保持される。
【００１６】
このような見出ホルダー８０は、例えばファイル等の背表紙やキャビネット等に取り付けられる。
【００１７】
ところが、図１（ｂ）に示すように、見出ホルダー８０は、ファイルを落下させるなどして見出ホルダー８０に強い衝撃が加わったり、窓板８２に手が触れたりすると、窓板８２が張出部８３と凹部８４との隙間から外れてしまうことがある。
【００１８】
そのため、長期間使用している間に、いつのまにか見出紙８５がなくなっているといった問題が生じる。
【００１９】
以下、実施形態について説明する。
【００２０】
（第１実施形態）
図２（ａ）、（ｂ）は、第１実施形態に係る見出ホルダー１０の斜視図であり、図３（ａ）は、図２（ａ）のＩ−Ｉ部分の断面図、図３（ｂ）は図２（ａ）の見出ホルダー１０のカバーシートの平面図、図３（ｃ）は、図２（ａ）のＩＩ部分を拡大した側面図である。
【００２１】
図２（ａ）及び図２（ｂ）に示すように、本実施形態に係る見出ホルダー１０は、見出紙９５を収容する細長い矩形状の本体１を備えている。その本体１の両側部には見出紙９５の横方向への移動を規制するためのガイド壁１２が形成されており、また本体１の縦方向の両端部には固定蓋部２及び可動蓋部３が設けられている。
【００２２】
本体１のガイド壁１２の間のベースプレート１１の上にカバーシート４がはめ込まれている。カバーシート４は、固定蓋部２において本体１と分離不可能な状態に固定されている。
【００２３】
特に限定されるものではないが、図３（ｂ）に示すように、カバーシート４には取付孔４１を設けるとともに、図３（ａ）に示すように本体１のベースプレート１１に突起１４を設けておく。そして、取付孔４１を突起１４に差し込んだうえで、固定蓋部２で被うことで、カバーシート４を本体１に対して分離不可能な状態で固定する。なお、固定蓋部２とカバーシート４と本体１とを溶着などの方法で接合してもよい。
【００２４】
このようなカバーシート４は、透明な樹脂フィルムによって形成されてなり、そのカバーシート４と本体１との間に見出紙９５を挟みこんで保持する。見出紙９５の表示内容は、カバーシート４を介して視認できる。
【００２５】
上記のように、カバーシート４は、ガイド壁１２によって側方への移動が規制され、また基端部側が本体１に固定されている。これにより、カバーシート４は可動蓋部３側の先端部をめくり上げる方向にのみ動くことができる。
【００２６】
見出紙９５の取り付けは、図２（ｂ）に示すようにカバーシート４の先端部をめくり上げて、カバーシート４とベースプレート１１との間に見出紙９５を差し込むことで行う。
【００２７】
使用する際には、図２（ａ）に示すように、可動蓋部３でカバーシート４の先端部を覆うことで、カバーシート４の先端部をロックする。
【００２８】
本実施形態の背見出ホルダー１０では、カバーシート４の基端部が固定蓋部２によって本体１と分離不可能な状態で固定され、先端部が可動蓋部３で覆われて固定されるため、使用中に手が触れたり衝撃が加わったりしてもカバーシート４が開きに難くなり、見出紙９５を確実に保持できる。
【００２９】
一方、可動蓋部３は、ヒンジ部３２を介して本体１とつながっており、図２（ｂ）に示すように、ヒンジ部３２を中心に回転して開閉する。ヒンジ部３２は、図３（ａ）に示すように、蓋部３と本体１との境界部分に形成された溝状の部分であり、他の部分よりも容易に変形しやすくなっている。
【００３０】
図３（ｃ）に示すように、可動蓋部３の側壁３３の先端には突起部３４が形成されており、この突起部３４が本体１のガイド壁１２の端部に形成された係合部１３に係合することで、蓋部３が閉じた状態に固定される。
【００３１】
蓋部３を開けると、図２（ｂ）に示すように、カバーシート４の先端部を手で持ちあげることができ、カバーシート４の下の見出紙９５を交換できる。
【００３２】
特に限定されるものではないが、図示のように蓋部３には窓部３１を設けておいてもよい。その窓部３の下の部分の見出紙９５に分類用のマークや着色などを付すようにしておけば、ファイルの内容の把握をより効率よく行える。
【００３３】
以上のような見出ホルダー１０は、図４（ａ）、（ｂ）に示すようにして組み立てられる。ここに、図４（ａ）、（ｂ）は見出ホルダー１０の組み立て方法を示す斜視図である。
【００３４】
まず、図４（ａ）に示す樹脂成型体１０ａを用意する。この樹脂成型体１０ａは、本体１と可動蓋部３と固定蓋部２とがヒンジ部２１、３２を介してつながった一体的な成型体であり、射出成型などの方法で形成される。また、樹脂としては、例えばポリプロピレン樹脂などを使用できる。
【００３５】
その後、図中の矢印に示すように、本体１の突部１４にカバーシート４の取付孔４１をはめ込んで本体１の上にカバーシート４を取り付ける。
【００３６】
次いで、図４（ｂ）に示すように、固定蓋部２をヒンジ部２１で折り返して、固定蓋部２の凹部２２に突起１４を挿入するとともに、溶着又は接着などの方法により、固定蓋部２の凹部２２と突起１４とを接合する。
【００３７】
このようにして、カバーシート４が本体１に固定される。
【００３８】
その後、可動蓋部３を回転させて閉じることで、図２（ａ）の見出ホルダー１０が完成する。
【００３９】
以上のように、本実施形態の見出ホルダー１０では、カバーシート４が、基端部において本体１と分離不可能に固定されている。これにより、使用中に手が触れたり、衝撃が加わったとしても、カバーシート４が移動して可動蓋部３から外れることがなくなり、見出紙９５の脱落を防止できる。
【００４０】
また、可動蓋部３を開けることで、簡単に見出紙９５の脱着を行うことができ、使用しやすい。
【００４１】
（変形例１）
以下、図５を参照しつつ実施形態の変形例１に係る見出ホルダー２０について説明する。ここに、図５は見出ホルダー２０を分解した状態で示す斜視図である。
【００４２】
本変形例に係る見出ホルダー２０では、カバーシート４４の脱落を防ぐべく、４つの爪片４４ａがカバーシート４４の両側部から延び出ている。本体１には、カバーシート４４の爪片４４ａに対応する部分に切欠開口１２ａがそれぞれ設けられている。これらの切欠開口１２ａは、例えばガイド壁１２の下に形成される。
【００４３】
カバーシート４４を本体１に取り付ける際には、カバーシート４４を中央で湾曲させつつ爪片４４ａを切欠開口１２ａに挿入する。
【００４４】
これらの爪片４４ａが切欠き開口１２ａ及びその上のガイド壁１２に引っかかることにより、カバーシート４４のガタつきを抑えることがでる。その結果、衝撃などが加わった際にカバーシート４４の先端が可動蓋部３から脱落するといった問題をより効果的に防ぐことができる。
【００４５】
（変形例２）
以下、図６を参照しつつ実施形態の変形例２に係る見出ホルダー３０について説明する。ここに、図６（ａ）は見出ホルダー３０を分解した状態で示す斜視図であり、図６（ｂ）は本体１のベースプレート１１の先端付近を拡大した斜視図である。
【００４６】
図６（ａ）に示すように、本変形例の見出ホルダー３０では、本体１の可動蓋部３寄りのベースプレート１１の両側部に切欠部１１ａが設けられている。
【００４７】
図６（ｂ）に拡大して示すように、切欠部１１ａを設けることにより、ベースプレート１１の上に見出紙９５やカバーシート４のしたに指をひっかけて、見出紙９５及びカバーシート４を持ち上げることができる。
【００４８】
これにより、見出紙９５やカバーシート４がベースプレート１１に張り付いてしまった場合であっても、本体１から見出紙９５やカバーシート４を容易に取り外すことができる。
【００４９】
（変形例３）
以下、図７を参照しつつ本変形例に係る見出ホルダー４０について説明する。ここに、図７（ａ）、（ｂ）は見出ホルダー４０の可動蓋部３の拡大斜視図である。なお、見出ホルダーの本体１及び固定蓋部２は図２と同様であるので説明及び図示を省略する。
【００５０】
図７（ａ）に示すように、本変形例の見出ホルダー４０の可動蓋部３は、その先端部が外側に緩やかに膨らんだ曲面で形成されてなる湾曲部３５を備えている。
【００５１】
図７（ｂ）に示すように、可動蓋部３を閉じると湾曲部３５がカバーシート４から浮き上がった状態となる。これにより、可動蓋部３を開ける際に指をひっかけやすくなり可動蓋部３を容易に開けることができる。
【００５２】
（見出ホルダーの使用例）
図８（ａ）、（ｂ）及び図９は、第１実施形態に係る見出ホルダー１０の使用態様の一例を示す斜視図である。
【００５３】
見出ホルダー１０をファイルの背表紙に取り付けた例が、図８（ａ）に示すファイル７０である。この場合には、見出ホルダー１０をファイル７０の背表紙に合わせて縦方向とし、更に蓋部３をファイルの上側となる向きに取り付ける。背表紙への取り付けは、例えばカシメ止め又は溶着などの方法で行えばよい。
【００５４】
このようにして取り付けた見出ホルダー１０は、カバーシート４が上開きに開くようになり、見出紙９５をカバーシート４と本体１との隙間に上から差し込むようにして取り付けることができ、見出紙９５の脱着が容易になる。
【００５５】
また、見出ホルダー１０は、図８（ｂ）に示すようにボックスファイル７１の見出としても好適である。
【００５６】
図９は、書類トレイ７２に見出ホルダー１０を取り付けた例を示す。この例のように、取り付ける対象によっては、見出ホルダー１０が横向きに取り付けることもできる。
【００５７】
（第２実施形態）
図１０（ａ）、（ｂ）は第２実施形態に係る見出ホルダー５０の斜視図である。
【００５８】
図１０（ｂ）に示すように、本実施形態の見出しホルダー５０は、本体１の先端部に蓋部５３のスライド機構の一部を構成するレール５１が設けられている。可動蓋部５３にはレール５１に係合する係合部が設けられており、そのレール５１に蓋部材５３が摺動自在に取り付けられている。
【００５９】
この可動蓋部５３を摺動させることにより、図１０（ａ）に示すように、可動蓋部５３を閉じた状態とすることができる。
【００６０】
本実施形態のように、可動蓋部５３は、ヒンジ以外の方法で本体１に取り付ける構成としてもよい。
【符号の説明】
【００６１】
１…本体、２…固定蓋部、３、５３…可動蓋部、４…カバーシート、１０、２０、３０、４０、５０…見出ホルダー、１０ａ…樹脂成型体、１１…ベースプレート、１１ａ…切欠部、１２…ガイド壁、１２ａ…切欠開口、１３…係止片、１４…ピン、３１…窓部、２１、３２…ヒンジ部、３３…側壁、３５…湾曲部、４１…取付孔、４４ａ…爪片、５１…レール、７０…ファイル、７１…ファイルボックス、７２…書類トレイ。
【図１】
0006356650.tif 000002
【図２】
0006356650.tif 000003
【図３】
0006356650.tif 000004
【図４】
0006356650.tif 000005
【図５】
0006356650.tif 000006
【図６】
0006356650.tif 000007
【図７】
0006356650.tif 000008
【図８】
0006356650.tif 000009
【図９】
0006356650.tif 000010
【図１０】
0006356650.tif 000011